【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1のタイミング構成に従う第1のシンボル期間の間にメッセージを受信するステップであって、前記メッセージがデータメッセージとスケジューリング要求(SR)のうち1つを含む、ステップと、
前記第1のシンボル期間よりも短い復号時間期間の間に前記メッセージを復号するステップと、
前記復号に少なくとも部分的に基づいて、前記受信されたメッセージに応答を送信するステップであって、前記応答が、第2のタイミング構成に従う第2のシンボル期間の間に送信され、前記第2のタイミング構成が、所定のオフセットに従って、前記第1のタイミング構成に対してずらして配置されており、前記応答がハイブリッド自動再送要求(HARQ)フィードバックメッセージまたはアップリンク(UL)許可のうち1つを含む、ステップと、
を含む、方法。
【請求項２】
前記HARQフィードバックメッセージが否定応答(NACK)メッセージを含み、
前記方法が、第3のシンボル期間の間に前記メッセージの再送信を受信するステップをさらに含み、3つ未満のシンボル期間が、前記第1のタイミング構成に従う前記第1のシンボル期間と前記第3のシンボル期間との間にある、
請求項1に記載の方法。
【請求項３】
前記UL許可を使用してULメッセージを受信するステップをさらに含む、請求項1に記載の方法。
【請求項４】
前記第2のシンボル期間が前記第1のタイミング構成の第3のシンボル期間の前に始まり、前記第3のシンボル期間が前記第1のシンボル期間の直後に続く、請求項1に記載の方法。
【請求項５】
前記第1のシンボル期間および前記第3のシンボル期間がダウンリンク(DL)シンボル期間を含み、前記第2のシンボル期間がULシンボル期間を含む、請求項4に記載の方法。
【請求項６】
前記第2のシンボル期間が、前記第1のタイミング構成に従う前記第1のシンボル期間に続く前記第1のシンボル期間の長さの2分の1の後に始まり、前記第2のシンボル期間の長さが、前記第1のシンボル期間の前記長さに等しい、請求項1に記載の方法。
【請求項７】
ワイヤレス通信のための方法であって、
第1のシンボル期間の間にメッセージを受信するステップであって、前記メッセージがデータメッセージとスケジューリング要求(SR)のうち1つを含む、ステップと、
前記第1のシンボル期間よりも短い復号時間期間の間に前記メッセージを復号するステップと、
制御チャネルタイミング構成に従う第2のシンボル期間の間に前記復号に基づいて前記メッセージに応答を送るステップであって、前記制御チャネルタイミング構成が、アップリンク(UL)制御チャネルタイミング構成と、ダウンリンク(DL)制御チャネルタイミング構成とを含み、データチャネルタイミング構成よりも短いシンボル持続時間に基づき、前記応答がHARQフィードバックメッセージまたはUL許可のうち1つを含む、ステップと、
を含む方法。
【請求項８】
前記DL制御チャネル構成が、オフセットに従って、前記UL制御チャネルタイミング構成に対してずらして配置されている、請求項7に記載の方法。
【請求項９】
前記オフセットが所定のオフセットを含む、請求項8に記載の方法。
【請求項１０】
前記メッセージがデータ送信を含み、前記データチャネルタイミング構成に基づく、請求項7に記載の方法。
【請求項１１】
前記HARQフィードバックメッセージが否定応答(NACK)メッセージを含み、
前記方法が、第3のシンボル期間の間に再送信を受信するステップをさらに含み、3つ未満のシンボル期間が、前記データチャネルタイミング構成に従う前記第1のシンボル期間と前記第3のシンボル期間との間にある、
請求項10に記載の方法。
【請求項１２】
前記UL許可を使用してULメッセージを受信するステップをさらに含む、請求項7に記載の方法。
【請求項１３】
前記第2のシンボル期間が前記第1のタイミング構成の第3のシンボル期間の前に始まり、前記第3のシンボル期間が前記第1のシンボル期間の直後に続く、請求項7に記載の方法。
【請求項１４】
前記第2のシンボル期間が、前記第1のタイミング構成に従う前記第1のシンボル期間に続く前記第1のシンボル期間の長さの2分の1の後に始まり、前記第2のシンボル期間の長さが、前記第1のシンボル期間の前記長さに等しい、請求項7に記載の方法。
【請求項１５】
ワイヤレス通信のための装置であって、
プロセッサと、
前記プロセッサに接続されたメモリと
を備え、
前記プロセッサは、
第1のタイミング構成に従う第1のシンボル期間の間にメッセージを受信するステップであって、前記メッセージがデータメッセージとスケジューリング要求(SR)のうち1つを含む、ステップと、
前記第1のシンボル期間よりも短い復号時間期間の間に前記メッセージを復号するステップと、
前記復号に少なくとも部分的に基づいて、前記受信されたメッセージに応答を送信するステップであって、前記応答が、第2のタイミング構成に従う第2のシンボル期間の間に送信され、前記第2のタイミング構成が、所定のオフセットに従って、前記第1のタイミング構成に対してずらして配置されており、前記応答がハイブリッド自動再送要求(HARQ)フィードバックメッセージまたはアップリンク(UL)許可のうち1つを含む、ステップと、
を行うように構成される、装置。
【請求項１６】
前記HARQフィードバックメッセージが否定応答(NACK)メッセージを含み、
前記プロセッサが、第3のシンボル期間の間に前記メッセージの再送信を受信するように構成され、3つ未満のシンボル期間が、前記第1のタイミング構成に従う前記第1のシンボル期間と前記第3のシンボル期間との間にある、
請求項15に記載の装置。
【請求項１７】
前記プロセッサが、前記UL許可を使用してULメッセージを受信するように構成される、請求項15に記載の装置。
【請求項１８】
前記第2のシンボル期間が前記第1のタイミング構成の第3のシンボル期間の前に始まり、前記第3のシンボル期間が前記第1のシンボル期間の直後に続く、請求項15に記載の装置。
【請求項１９】
前記第2のシンボル期間が、前記第1のタイミング構成に従う前記第1のシンボル期間に続く前記第1のシンボル期間の長さの2分の1の後に始まり、前記第2のシンボル期間の長さが、前記第1のシンボル期間の前記長さに等しい、請求項15に記載の装置。
【請求項２０】
前記第1のシンボル期間および前記第3のシンボル期間がDLシンボル期間であり、前記第2のシンボル期間がULシンボル期間である、請求項19に記載の装置。
【請求項２１】
ワイヤレス通信のための装置であって、
プロセッサと、
前記プロセッサに接続されたメモリと
を備え、
前記プロセッサは、
第1のシンボル期間の間にメッセージを受信するステップであって、前記メッセージがデータメッセージとスケジューリング要求(SR)のうち1つを含む、ステップと、
前記第1のシンボル期間よりも短い復号時間期間の間に前記メッセージを復号するステップと、
制御チャネルタイミング構成に従う第2のシンボル期間の間に前記復号に基づいて前記メッセージに応答を送るステップであって、前記制御チャネルタイミング構成が、アップリンク(UL)制御チャネルタイミング構成と、ダウンリンク(DL)制御チャネルタイミング構成とを含み、データチャネルタイミング構成よりも短いシンボル持続時間に基づき、前記応答がHARQフィードバックメッセージまたはUL許可のうち1つを含む、ステップと、
を行うように構成される、装置。
【請求項２２】
前記DL制御チャネル構成が、オフセットに従って、前記UL制御チャネルタイミング構成に対して時間的にずらして配置されている、請求項21に記載の装置。
【請求項２３】
前記オフセットが所定のオフセットを含む、請求項21に記載の装置。
【請求項２４】
前記HARQフィードバックメッセージが否定応答(NACK)メッセージを含み、
前記プロセッサが、第3のシンボル期間の間に再送信を受信するように構成され、3つ未満のシンボル期間が、前記データチャネルタイミング構成に従う前記第1のシンボル期間と前記第3のシンボル期間との間にある、
請求項21に記載の装置。
【請求項２５】
前記プロセッサが、前記UL許可を使用してULメッセージを受信するように構成される、請求項21に記載の装置。
【請求項２６】
前記第2のシンボル期間が前記第1のタイミング構成の第3のシンボル期間の前に始まり、前記第3のシンボル期間が前記第1のシンボル期間の直後に続く、請求項21に記載の装置。
【請求項２７】
前記第2のシンボル期間が、前記第1のタイミング構成に従う前記第1のシンボル期間に続く前記第1のシンボル期間の長さの2分の1の後に始まり、前記第2のシンボル期間の長さが、前記第1のシンボル期間の前記長さに等しい、請求項21に記載の装置。